(57)【特許請求の範囲】
【請求項１】
２本の平行な水平桁材と、これらの水平桁材の間に相互に平行に複数列となって配置される足場板とを備えた仮設通路本体と、
一方の前記水平桁材に引っ掛けられるフック部が一端に設けられるとともに、他方の前記水平桁材に取り外し自在に係合される着脱部が他端に設けられた押さえ具とを有し、
前記押さえ具の取り外し操作の際に前記着脱部を他方の前記水平桁材から取り外すハンドル部を前記押さえ具の他端に設け、
前記足場板の表面に食い込んで前記足場板の長手方向のずれを防止する食い付き爪部材を前記押さえ具に設けたことを特徴とする足場板締結装置。
【請求項２】
請求項１記載の足場板締結装置において、前記押さえ具の中央部には前記足場板に向けて屈曲された食い込み屈曲部が設けられ、前記食い付き爪部材は前記食い込み屈曲部が接触しない他の前記足場板の表面に食い込むようにしたことを特徴とする足場板締結装置。
【請求項３】
請求項１または２記載の足場板締結装置において、前記２本の水平桁材の間には３列に足場板を配置するようにしたことを特徴とする足場板締結装置。
【発明の詳細な説明】
【０００１】
【発明の属する技術分野】
本発明は土木建築現場に仮設される仮設通路本体を構成する足場板を締結する足場板締結装置に関する。
【０００２】
【従来の技術】
中層や高層の建物、橋、道路、地下構築物などの種々の建築物や建造物を建築する際には、土木工事現場や建築工事現場に作業者が安全に歩行するための仮設通路を敷設するようにしている。このような場所に設置される仮設通路は、工事が終了すると撤去されることになるので、短時間に仮設通路を敷設することができるとともに、工事終了時には短時間に分解して撤去できるようにすることが好ましい。
【０００３】
従来の仮設通路は足場板を複数列平行に配置するようにしており、工事現場にトラックなどで容易に運搬し得るように足場板の幅寸法は３０cmないしそれよりも幅狭のものが使用され、工事現場の作業内容に応じて任意の幅の仮設通路を敷設することができるようになっている。
【０００４】
【発明が解決しようとする課題】
しかながら、従来の仮設通路は複数枚の足場板を並列状態として束ねるために番線とも言われる太い針金を用いて結束するようにしており、針金を用いた結束作業は容易でなく、仮設通路の構築に時間がかかることになる。また、工事終了後に使用済みの仮設通路を分解して撤去する場合には針金をカッターにより切断しなければならず、その作業に時間がかかるだけでなく、カッターで切断された針金は再利用することができずに廃棄せざるを得なかった。使用済み針金を廃棄すると産業廃棄物が発生することになる。
【０００５】
本発明の目的は、足場板を締結した仮設通路の構築作業を容易に短時間で行い得るようにすることにある。
【０００６】
本発明の他の目的は、仮設通路を撤去する場合に足場板の分解作業を短時間で容易に行い得るようにすることにある。
【０００７】
本発明の他の目的は、仮設通路の撤去に際して産業廃棄物を発生させないようにすることにある。
【０００８】
【課題を解決するための手段】
本発明の足場板締結装置は、２本の平行な水平桁材と、これらの水平桁材の間に相互に平行に複数列となって配置される足場板とを備えた仮設通路本体と、一方の前記水平桁材に引っ掛けられるフック部が一端に設けられるとともに、他方の前記水平桁材に取り外し自在に係合される着脱部が他端に設けられた押さえ具とを有し、前記押さえ具の取り外し操作の際に前記着脱部を他方の前記水平桁材から取り外すハンドル部を前記押さえ具の他端に設け、前記足場板の表面に食い込んで前記足場板の長手方向のずれを防止する食い付き爪部材を前記押さえ具に設けたことを特徴とする。
【０００９】
本発明の足場板締結装置は、前記押さえ具の中央部には前記足場板に向けて屈曲された食い込み屈曲部が設けられ、前記食い付き爪部材は前記食い込み屈曲部が接触しない他の前記足場板の表面に食い込むようにしたことを特徴とする。
【００１０】
本発明の足場板締結装置は、前記２本の水平桁材の間には３列に足場板を配置するようにしたことを特徴とする。
【００１１】
【発明の実施の形態】
以下、本発明の実施の形態を図面に基づいて詳細に説明する。
【００１２】
図１は本発明の一実施の形態である足場板締結装置を適用した仮設通路を示す斜視図であり、図２は図１におけるＡ−Ａ線に沿う断面図である。
【００１３】
この仮設通路は図示するように、相互に平行に配置される２本の水平桁材１１，１２を有し、それぞれの水平桁材としては断面がほぼコの字形状となった形鋼材が使用されている。これらの水平桁材１１，１２の間には相互に平行になり３列となって足場板１３〜１５が配置され、これらの足場板と水平桁材１１，１２によって仮設通路本体１６が形成されるようになっている。
【００１４】
それぞれの水平桁材１１，１２の内面には足場板１３〜１５を支持するための梁材１７が所定の間隔毎に取り付けられるようになっている。したがって、仮設通路を構築する場所にまず２本の水平桁材１１，１２を相互に平行に配置し、両方の水平桁材に梁材１７を取り付けた状態で、足場板１３〜１５を水平桁材１１，１２の間に配置することにより、任意の位置に仮設通路を構築することができる。
【００１５】
図１に示す水平桁材１１，１２は相互に同一の長さとなっており、約６ｍの長さであり、それぞれの足場板１３〜１５は長さが２ｍのものと４ｍのものが使用されており、それぞれの足場板は２ｍのものと４ｍのものを１列に配置することにより形成されている。ただし、水平桁材と足場板は任意の長さに設定することができる。また、仮設通路の幅寸法は図示する場合には約９４cm程度となっているが、任意の幅寸法に設定することができる。工事現場に敷設される仮設通路としては種々の長さとすることが必要であり、図１に示す仮設通路を複数連結することにより、仮設通路の全体の長さを工事現場に合わせて任意の長さとすることができる。
【００１６】
足場板１３〜１５を水平桁材１１，１２に締結するために、押さえ具２１が複数個用いられている。いずれか１つの押さえ具２１を拡大して示すと図３および図４の通りであり、帯状の鋼板を折り曲げることにより形成されている。押さえ具２１の一端にはフック部２２が設けられ、このフック部２２は断面Ｌ字形状に内方に向けて折り曲げられて形成され、一方の水平桁材１１に引っ掛けられるようになっている。それぞれの押さえ具２１は帯状の鋼板によって形成されているが、丸棒などによって形成するようにしても良い。
【００１７】
押さえ具２１の他端には着脱部２３が設けられ、この着脱部２３はまず内方に折れ曲がり、その先端から外方に折れ曲がって断面くの字形状に形成され、他方の水平桁材１２に取り外し自在に係合されるようになっている。なお、着脱部２３にねじ部材を設け、このねじ部材と水平桁材１２との係合によって着脱部２３を水平桁材１２を取り外し自在に係合させるようにしても良い。また、フック部２２を着脱部２３と同様にくの字形状としても良い。
【００１８】
この着脱部２３の先端にはこれに一体にハンドル部２４が連なって外方に折り曲げられており、着脱部２３を水平桁材１２から外して押さえ具２１を仮設通路本体１６から取り外す際に、作業者はハンドル部２４を手に持って着脱部２３の外し操作を行うことになる。なお、ハンドル部２４には工具などを引っ掛けるための貫通孔２４ａが図３に示すように形成されている。
【００１９】
押さえ具２１は、仮設通路本体１６に取り付けられる前にあっては、図３および図４（Ｂ）に示すように、長手方向の中央部分が内側に突出するように全体的に２つ折りに折り曲げられており、中央部分は食い込み屈曲部２５となっている。図４に示す押さえ具２１の幅寸法Ｗは５０mm程度であり、長さ寸法Ｌは９４cm程度であり、板厚ｔは４mm程度である。また、仮設通路本体１６に取り付けない状態における図４（Ｂ）に示す食い込み屈曲部２５の深さ寸法Ｄは２４mm程度となっている。
【００２０】
押さえ具２１の内面には、押さえ具２１と同一の幅寸法の帯状の食い付き爪部材２６が設けられている。この食い付き爪部材２６は押さえ具２１よりも短い長さとなっており、押さえ具２１の長手方向中央部分にスポット溶接などの固定手段によって取り付けられている。食い付き爪部材２６は、図４（Ｂ）に示すように、屈曲部２５に対応して長手方向中央部が屈曲されるとともに、両端部が押さえ具２１から離れる方向に屈曲されている。これにより、両端部は仮設通路本体１６の足場板の表面を強く押し付ける爪部２７，２８となっている。図示する場合には、食い付き爪部材２６の長さ寸法Ｍは３３cm程度であり、爪部２７，２８の長さ寸法は７cm程度である。
【００２１】
押さえ具２１を用いて足場板１３〜１５を水平桁材１１，１２に締結することによって仮設通路を構築する手順について説明すると、所定の位置に配置された水平桁材１１，１２の間に所定の枚数の足場板１３〜１５を配置することにより仮設通路本体１６を組み立てた状態のもとで、仮設通路本体１６の長手方向に所定の間隔毎に複数の押さえ具２１が取り付けられることになる。
【００２２】
押さえ具２１を仮設通路本体１６に取り付けるには、図２において二点鎖線Ａで示すように、押さえ具２１の一端に設けられたフック部２２を水平桁材１１に引っ掛けた状態で他端を水平桁材１２に接近移動させる。押さえ具２１の他端に設けられた着脱部２３が水平桁材１２に接触した状態が二点鎖線Ｂで示されている。この状態のもとで、押さえ具２１の他端を強く押し付けると、図２において実線で示すように、押さえ具２１は仮設通路本体１６に取り付けられることになる。このように、簡単な操作で迅速に押さえ具２１を仮設通路本体１６に装着することができる。取り付けられると、押さえ具２１は取り付けられる前における屈曲状態よりも弾性変形によって屈曲角度が小さくなって伸びた状態となる。
【００２３】
伸びた状態となっても、押さえ具２１の長手方向中央部分の食い込み屈曲部２５はもともと足場板に向けて屈曲されていたので、食い込み屈曲部２５は３列の足場板のうち中央の足場板１４の表面に食い込むように強く押し付けられることになる。これにより、足場板１４が長手方向にずれることが防止される。
【００２４】
爪部２７，２８は、押さえ具２１が仮設通路本体１６に取り付けられると、押さえ具２１に向けて接近する方向に弾性変形しつつ、それぞれ他の足場板１３，１５に押し付けられることになる。つまり、取り付けられた状態では、爪部２７は足場板１３の表面に食い込むように強く押し付けられ、爪部２８は足場板１５の表面に食い込むように強く押し付けられることになる。これにより、足場板１３と足場板１５が長手方向にずれることが防止される。
【００２５】
押さえ具２１は、その長手方向の中央部が足場板に向けて屈曲していることから、仮設通路本体１６に取り付けた状態のもとでは、中央部分が足場板に向かう弾性力を加え続けることになり、作業者が仮設通路を歩行する際には、押さえ具２１の中央部分が浮き上がることを防止できる。これにより、作業者は足を押さえ具２１に引っ掛けることなく、安全に歩行することができる。しかも、押さえ具２１の板厚は４mm程度であり、足場板の上方への浮き上がり寸法は小さく、作業者の歩行に邪魔となることはない。
【００２６】
図１は１組の仮設通路を示す図であり、工事現場においては複数組の仮設通路を連結することにより、所望の長さの仮設通路を敷設することができる。仮設通路を連結するために、それぞれの水平桁材１１，１２の両端部には連結具３１が取り付けられるようになっている。
【００２７】
図５は１つの連結具３１を拡大して示す図であり、連結具３１は水平桁材の端部に入り込むサイズとなり、断面コの字形状となっている。連結具３１には１組の仮設通路本体の水平桁材の端部に形成された貫通孔３２に対応した貫通孔３３が設けられ、これらの貫通孔に連結ピン３４を差し込むことにより、連結具３１は水平桁材に取り付けられるようになっている。連結具３１にはさらに貫通孔３３ａが設けられており、この貫通孔３３ａを使用して、１組の仮設通路本体に隣接して連結される他の仮設通路本体が取り付けられようになっている。
【００２８】
それぞれの水平桁材１１，１２には所定の間隔毎に取付孔３５が形成されており、この取付孔３５に図示しない手摺り支柱を取り付けることにより、仮設通路本体１６には、作業者の安全のための手摺りを組み付けることができる。仮設通路の設置場所に応じて手摺りが不要となる場合には、手摺りの組み付けは省略される。
【００２９】
一方、工事が終了して仮設通路を撤去する場合には、押さえ具２１はハンドル部２４の部分を手に持って引き上げることにより仮設通路本体１６から容易に取り外すことができ、仮設通路の分解作業を短時間で行うことができる。
【００３０】
本発明は前記実施の形態に限定されるものではなく、その要旨を逸脱しない範囲で種々変更可能であることはいうまでもない。
【００３１】
たとえば、仮設通路本体１６に平行となって取り付けられる足場板の列数は図示する３列に限られず、任意の列数とすることができる。また、押さえ具２１に設けられる食い付き爪部材２６の数も任意の数とすることができる。
【００３２】
【発明の効果】
本発明によれば、仮設通路の敷設作業と撤去作業を短時間で容易に行うことができる。水平桁材の間に複数列となって配置される足場板のずれが押さえ具によって防止されるので、足場板を水平桁材に締結することが不要となるとともに、作業者が仮設通路の歩行を繰り返しても、足場板がずれることを確実に防止し、作業者の安全歩行を確保することができる。押さえ具は繰り返して使用することができるので、仮設通路の分解撤去作業に際して廃材や廃棄物の発生を防止することができる。
【図面の簡単な説明】
【図１】本発明の一実施の形態である足場板締結装置を適用した仮設通路を示す斜視図である。
【図２】図１におけるＡ−Ａ線に沿う断面図である。
【図３】押さえ具を示す斜視図である。
【図４】（Ａ）は押さえ具を示す拡大平面図であり、（Ｂ）は同図（Ａ）の正面図である。
【図５】連結具を示す拡大斜視図である。
【符号の説明】
１１，１２    水平桁材
１３〜１５    足場板
１６          仮設通路本体
１７          梁材
２１          押さえ具
２２          フック部
２３          着脱部
２４          ハンドル部
２５          屈曲部
２６          食い付き爪部材
２７，２８    爪部
３１          連結具
【図１】
0004124548.tif 000002
【図２】
0004124548.tif 000003
【図３】
0004124548.tif 000004
【図４】
0004124548.tif 000005
【図５】
0004124548.tif 000006